(57)【特許請求の範囲】
【請求項１】
椅子の本体を部分的にカバーで塞いでいる椅子において、
前記本体とカバーとは、カバーがその厚さ方向に外れることを阻止する第１係合部と、前記第１係合部が互いに係合した状態を保持する第２係合部と、第２係合部が互いに係合した状態を保持する第３係合部とをそれぞれ備えており、
第１係合部が互いに係合するようにカバーを移動させる方向と、第２係合部が互いに係合するようにカバーを移動させる方向とを互いに異ならせており、カバーをその弾性に抗して移動させることによって第２係合部を互いに係合させ切ると、カバーの弾性復元力によって本体とカバーとの第３係合部が互いに係合するように設定している、
椅子におけるカバーの取付け構造。
【請求項２】
前記本体は、平面視でほぼ四角形の座部フレームと、座部フレームに上方から重なる座体と、座体を取付けるために座部フレームの左右内側部にそれぞれ設けた前後長手の座受け金具とを備えている一方、前記カバーは、前記座受け金具を下方から覆うものであって、前記座受け金具とカバーとに、
カバーを座部フレームの内側から左右外側に向けて水平方向に移動させると互いに係合する第１係合部と、
第１係合部が互いに係合した状態でカバーを奥方向又は手前方向に水平移動させると互いに係合する第２係合部と、
第１係合部と第２係合部とを互いに係合させた状態でカバーを弾性変形させつつ前後方向に移動させ切るとカバーの戻り変形によって互いに係合する第３係合部とをそれぞれ設けている、
請求項１に記載した椅子におけるカバーの取付け構造。
【請求項３】
前記カバーを、前記第２係合部を互いに係合させ切ると当該カバーが座部フレームにおける前後水平部の間にきっちりと嵌まる長さに設定することにより、カバーの前後両端と座部フレームとを前記第３係合部に兼用している、
請求項２に記載した椅子におけるカバーの取付け構造。
【発明の詳細な説明】
本発明は、椅子におけるカバーの取付け構造に関するものである。
【０００１】
【従来の技術】
椅子は様々の態様のものがあり、また、安全や美観のために多種類のカバーが使用されている。
【０００２】
このようなカバーの取付け手段として、特開平８−２５２１４４号公報には、会議用などに使用されるフレーム構造の椅子における座板の後部裏面に表皮材保護用のカバーを取付けるにおいて、座板の後部下面とカバーの上面とにそれぞれ鉤状の係合爪を設け、これらの係合爪をその弾性変形させ互いに噛み合わせることが記載されている。
【０００３】
【発明が解決しようとする課題】
ところで、カバーには様々な方向から外力が作用し得る。
【０００４】
例えば前記公報に記載されているフレーム構造の椅子の場合、一般に積み重ねできるようになっているため、積み重ね作業時や積み重ねたものを分離したりするに際して、他の椅子が触れたり人の手足が当たったりして、様々の方向から外力が作用し得る。
【０００５】
しかし、前記公報のように単なる係合爪同士の引っ掛かりを利用した係合手段では、係合爪の引っ掛かり方向と異なった方向からの外力に弱いという問題があった。
【０００６】
この点については、係合爪の強度を大きくし、かつ、係合爪同士の引っ掛かり面積を大きくすることによって係合強度を大きくすれば良いと考えられるが、これでは係合爪が弾性変形しにくくなるため、取付け及び取り外しが厄介になるという別の問題が発生する。
【０００７】
本発明は、このような現状を改善することを課題とするものである。
【０００８】
【課題を解決するための手段】
前記課題を解決するため、本願発明者は各請求項の発明を創作した。
【０００９】
このうち請求項１の発明は、本体を部分的にカバーで塞いでいる椅子において椅子の本体を部分的にカバーで塞いでいる椅子において、前記本体とカバーとは、カバーがその厚さ方向に外れることを阻止する第１係合部と、前記第１係合部が互いに係合した状態を保持する第２係合部と、第２係合部が互いに係合した状態を保持する第３係合部とをそれぞれ備えている。
【００１０】
そして、第１係合部が互いに係合するようにカバーを移動させる方向と、第２係合部が互いに係合するようにカバーを移動させる方向とを互いに異ならせており、カバーをその弾性に抗して移動させることによって第２係合部を互いに係合させ切ると、カバーの弾性復元力によって本体とカバーとの第３係合部が互いに係合するように設定している。
【００１１】
請求項２の発明では、請求項１の構成において、前記本体は、平面視でほぼ四角形の座部フレームと、座部フレームに上方から重なる座体と、座体を取付けるために座部フレームの左右内側部にそれぞれ設けた前後長手の座受け金具とを備えている一方、前記カバーは、前記座受け金具を下方から覆うものでになっている。
【００１２】
そして、前記座受け金具とカバーとに、カバーを座部フレームの内側から左右外側に向けて水平方向に移動させると互いに係合する第１係合部と、第１係合部が互いに係合した状態でカバーを奥方向又は手前方向に水平移動させると互いに係合する第２係合部と、第１係合部と第２係合部とを互いに係合させた状態でカバーを弾性変形させつつ前後方向に移動させ切るとカバーの戻り変形によって互いに係合する第３係合部とをそれぞれ設けている。
【００１３】
請求項３の発明は、請求項２の発明において、前記カバーを、前記第２係合部を互いに係合させ切ると当該カバーが座部フレームにおける前後水平部の間にきっちりと嵌まる長さに設定することにより、カバーの前後両端と座部フレームとを前記第３係合部に兼用している。
【００１４】
なお、本発明において係合部が互いに係合するとは、２つの係合部が少なくとも一つの方向に離反不能となるように引っ掛かり合うことを言う。
【００１５】
【発明の作用・効果】
本願の各請求項の発明とも、第１係合部と第２係合部と第３係合部との係合方向が互いに異なっており、しかも、カバーを弾性変形させて第３係合部の係合を解除しない限り、第１係合部と第３係合部との係合は解除されない。
【００１６】
このため、カバーはどのような方向からの外力に対しても強く、従来に比べて格段に外れにくくなっている。しかも、第１係合部と第２係合部とが互いに係合していることにより、第３係合部の係合強度を過度に大きくする必要はないため、取付けの容易性が損なわれるこはない。
【００１７】
また、ドライバでこじる等してカバーを弾性変形させて第３係合部の係合を解除することにより、カバーを簡単に取り外すことも可能である。
【００１８】
請求項３のように、椅子を構成するフレームを第３係合部に利用すると、それだけ構造を簡単化できる。また、椅子の本体を構成するフレームはその性質上、頑丈な構造であるため、カバーの取付け強度を一層向上することもできる。
【００１９】
【発明の実施形態】
次に、本発明の実施形態を図面に基づいて説明する。
【００２０】
(1).第１実施形態（図１〜図15）
図１〜図１５では第１実施形態（主たる実施形態）を示している。この実施形態は、会議用等に使用される軽量フレーム構造の椅子に適用しており、このうち図１は全体の概略斜視図、図２は分離斜視図である。
【００２１】
▲２▼．概要
これら図１及び図２に示すように、椅子は、金属パイプから成る平面視略四角形の座部フレーム１と、座部フレーム１の左右両側を支持する左右一対の脚部フレーム２と、左右の脚部フレーム２をその上部において連結する補強フレーム３と、座部フレーム１の後部に立設した背支柱４と、座体５と、クッション７付きの背もたれ６とを備えている。
【００２２】
座部フレーム１の左右水平部１ｃと脚部フレーム２と背支柱４とは一連に延びており、これらを座部フレーム１の前後水平部１ａ，１ｂと補強フレーム３とで接続している。座部フレーム１の左右水平部１ｃと前水平部１ａとの接続箇所は、平面視で三角形状のブラケット８で補強されている。
【００２３】
背もたれ６は、左右一対の下向き筒部６ａを備えており、この下向き筒部６ａを背支柱４に嵌め入れている。下向き筒部６ａはねじ（図示せず）で背支柱４に固定されている。脚部フレーム２には接地体９，１０と連結具１１を取付けている。
【００２４】
図３は椅子の平面図（背もたれ６のクッション７は省略している）、図４は図３のIV−IV視断面図である。この図に示すように、座体５は、合成樹脂製の座板１４と、その上面に張ったクッション１５とから成っている。座板１４には多数のスリット１６を設けている。また、左右両側部の前後両端寄りと中間部との３ヵ所ずつには、正面視で内向き鉤状の係合爪１７を設けている。
【００２５】
座板１４は、座部フレーム１の左右内側部に設けた左右一対の座受け金具１８に取付けられており、この座受け金具１８を下方から覆うカバー１９の取付け構造に本願発明を適用している。以下、座受け金具１８とカバー１９について、図５以下の図面も参照して説明する。
【００２６】
▲２▼．座受け金具
まず、図５を参照して座受け金具１８について説明する。図５は斜め上方から見た分離斜視図である。
【００２７】
座受け金具１８は断面下向き開口コ字状に形成されており、座部フレーム１の左右水平部１ａとある程度の間隔を空けた状態で前後方向に延びており、前後両端部はそれぞれ座部フレーム１の前後水平部１ａ，１ｂに溶接されている。
【００２８】
また、座受け金具１８のうち前後中間部より手前側と奥側とに、座部フレーム１の左右水平部１ｃに延びる一対ずつの補強片２０を設けており、これら補強片２０を座部フレーム１の左右水平部１ｃに溶接している。
【００２９】
補強片２０は、座板１４の係合爪１７と干渉しないように配置しており、座板１４の係合爪１７を座受け金具１８の外垂直片１８ａに係合させている（図９参照）。座体５は、座受け金具１８に取付けた状態で座板１４の前後両端が座部フレーム１の前後水平部１ａ，１ｂの間にきっちり嵌まるように設定している。
【００３０】
座受け金具１８の内側部のうち奥部と中間部とには、それぞれ爪板状の本体側第１係合部２１を横向きに突設している。また、一対の補強片２０の箇所には、下向きに段違い状で外向きに延びる本体側第２係合部２２をそれぞれ形成している。更に、座受け金具１８の内側部のうち手前側の部位には、爪状の本体側第３係合部２３を横向きに突設している。
【００３１】
▲３▼．カバー
次に、図５に加えて図６〜図１１も参照して、カバー１９について説明する。なお、カバー１９はポリプロピレンのような合成樹脂製であり、弾性がある。
【００３２】
図６（Ａ）（Ｂ）は共にカバー１９を９０°起こした状態で前方から見た部分斜視図、図７（Ａ）は分離斜視図、図７（Ｂ）はカバー１９の一部を（Ａ）とは反対方向から見た斜視図、図８（Ａ）はカバー１９を取付けた状態での平面図、図８（Ｂ）は分離平面図、図９は図８（Ａ）のIX−IX視断面図、図１０は座体５を表示した状態での図８（Ａ）の X-X視断面図、図１１（Ａ）は図８（Ａ）の XIA-XIA視断面図、図１１（Ｂ）は図８（Ａ）の XIB-XIB視断面図である。
【００３３】
図５や図６に示すように、カバー１９は、座受け金具１８を下方から囲うように断面略Ｌ字状に形成されており、図９〜図１１に示すように、側板１９ａが座受け金具１８の外側から重なるように設定している。
【００３４】
側板１９ａの付け根部には、本体側第１係合部２１が嵌まる溝穴状のカバー側第１係合部２４が形成されている。この場合、カバー側第１係合部２４の前後巾は本体側第１係合部２１の前後横巾よりも長く、カバー１９をきっちりと取付けた状態で、カバー側第１係合部２４が本体側第１係合部２１の後方に延びるように設定している。
【００３５】
図５や図７に示すように、カバー１９の上面のうち本体側第２係合部２２と対応した部位には、カバー１９を後方にスライドさせると本体側第２係合部２２の上面に重なり得るカバー側第２係合部２５を設けている。
【００３６】
カバー側第２係合部２５には、本体側第２係合部２２に横方向から当接するストッパー壁２６を設けており、このため、カバー１９は横向き抜け不能に保持される。また、カバー側第２係合部２５が本体側第２係合部２２の垂直部２２ａに当たることによっても、カバー１９は横向き抜け不能に保持される（すなわち、両第１係合部２１，２４は互いに嵌合した状態に保持される）。
【００３７】
本体側第１係合部２１とカバー側第１係合部２４とにより、カバー１９を上下動不能に保持する第１係合手段が構成され、本体側第２係合部２２とカバー側第２係合部２５とにより、カバー１９を左右動不能に保持する第２係合手段が構成されている。
【００３８】
図８（Ｂ）から容易に理解できるように、カバー１９を手前側にずらした状態では、座受け金具１８とカバー１９の第２係合部２２，２５が互いに干渉することなく、両第１係合部２１，２４が互いに嵌合するように設定している。
【００３９】
カバー１９における側板１９ａの付け根部のうち手前側の部位には、本体側第３係合部２３と嵌合する溝穴状のカバー側第３係合部２７を形成している。この場合、カバー側第３係合部２７は本体側第３係合部２３ときっちり嵌まり合う前後幅になっている。
【００４０】
図１２に示すように、座受け金具１８にカバー１９を取付けた状態では、カバー１９は座部フレーム１の前後水平部１ａ，１ｂの間にきっちり嵌まるようになっており、カバー１９の手前側の端部には、座部フレーム１の前水平部１ａにきっちり当たってカバー１９を前後動不能に保持する前ストッパー２８が設けられている。
【００４１】
従って、カバー１９の前後両端部と座受け金具１８の前後水平部１ａ，１ｂとは、請求項に記載した第３係合部を兼用している。
【００４２】
図５や図８〜図１１などに示すように、カバー１９には、座部フレーム１の左右水平部１ｃに当たるサイドストッパー２９を設けている。サイドストッパー２９の先端面は、座部フレーム１の左右水平部１ｃと嵌合するように円弧面になっている。また、カバー１９は、座板１４の係合爪１７との干渉を回避するため、前後３ヵ所に下向き凹部３０を形成している。
【００４３】
▲４▼．カバー１９の取付け
次に、図５，図８，図１３〜図１５を参照しつつ、カバー１９の取付け方法を説明する。
【００４４】
カバー１９を取り付けるに当たっては、まず、図８（Ｂ）のように、カバー１９を本来の取付け位置よりもやや手前側にずらした状態にして、図１３に示すように、カバー側第１係合部２４の奥部を本体側第１係合部２１に嵌め込む。
【００４５】
この状態では、本体側第３係合部２３がカバー１９の側板１９ａに当たっており、このため、カバー１９は、図８（Ｂ）に二点鎖線３１で示すように、平面視で座受け金具１８に対して若干傾斜している。
【００４６】
次に、第１係合部２１，２４を互いに嵌め合わせた状態で、カバー１９を奥方向にスライドさせる。すると、図１４に示すように、座受け金具１８とカバー１９との第２係合部２２，２５が互いに嵌まり合う。
【００４７】
カバー１９を奥方向に押し込む途中では、本体第３係合部２３がカバー１９の側板１９ａに当たっているため、カバー１９は平面視で座受け金具１８に対して傾いたままであり、かつ、図１２に一点鎖線で示すように、カバー１９の前ストッパー２８が座受け金具１８における前水平部１ａの下側に位置しているため、カバー１９は平面視及び側面視で撓み変形した状態になっている。
【００４８】
そして、カバー１９をその弾性に抗して奥方向に押し込み切ると、カバー１９が戻り変形して、第３係合部２３，２７が互いに嵌合すると共に、カバー１９の前ストッパー２８は座受け金具１８における前水平フレーム１ａに密着する（前後水平フレーム１ａ，１ｂの間にカバー１９が突っ張り固定される）。
【００４９】
このように、座受け金具１８に取り付けた後のカバー１９は、３種類の係合手段により、上下方向と左右方向と前後方向とのいずれの方向にもずれ不能の状態に保持される。従って、どのような方向からの外力にも強く、カバー１９が不測に外れることはない。
【００５０】
また、マイナスドライバのような細い棒状の工具を、座部フレーム１の前水平フレーム１ａと左右フレーム１ｃとのコーナー部の箇所に差し込んで、カバー１９の手前側の部位を下方及び内側にこじ移動させると、カバー１９は図１２の実線で示す状態から一点鎖線で示す状態になると共に第３係合部２３，２７の嵌合が解除されるため、カバー１９を取り外すことができる。
【００５１】
本実施形態のように、カバー１９に、座部フレーム１の左右水平部１ｃと嵌合するサイドストッパー２９を設けると、カバー１９の安定性と取付け強度を一層向上できる利点がある。
【００５２】
本実施形態の場合、第３係合手段としては、爪板状及び係合穴状の第３係合部２３，２７を嵌合させることと、カバー１９を前後水平部１ａ，１ｂの間に突っ張らせることとのうち何れか一方だけを採用しても良い。
【００５３】
上記の実施形態では、カバー１９を奥方向にスライドさせることによって第２係合部２３，２７を係合させたが、各係合部の位置と向きとを逆にすることにより、カバー19を手前側にスライドさせると第３係合部２３，２７が互いに係合するように設定してもよい。
【００５４】
(2).第２実施形態（図16〜図17）
図１６及び図１７では第２実施形態を示しており、図１６は側断面図、図１７は要部斜視図である。
【００５５】
この実施形態は、裏カバー３３を座板１４に取り付けることに適用しており、裏カバー３３の前後複数箇所（又は前後左右の複数箇所）に、カバー側第１係合部２４とカバー側第２係合部２５とが一体化された状態で形成されている。
【００５６】
また、座板１４にも、カバー側第１係合部２４が載る本体側第１係合部２１と、カバー側第１係合部２４及び第２係合部２５が左右ずれ不能に嵌まる本体側第２係合部２２とが一体化された状態で形成されている。
【００５７】
更に、裏カバー３３の前端部と座板１４の前端部とには、裏カバー３３を奥方向にスライドさせると互いに嵌合する爪型の第３係合部２３，２７を形成している。図１７（Ｂ）に示すように、座板１４とカバー３３とにも、カバー３３を奥方向に押し込み切ると左右方向から嵌合する第３係合部２３，２７を設けても良い。
【００５８】
(3).その他
本発明は上記の実施形態の他にも様々に具体化できる。例えばカバーは座体用には限らず、背もたれ用などの他の部位のカバーにも適用できる。用途によってカバーの形態を変え得ることは言うまでもない。
【００５９】
また、各係合部（係合手段）も係合穴と係合爪の組合せや、係合爪同士の組合せに限らず、他の様々の機構を採用できる。
【図面の簡単な説明】
【図１】第１実施形態に係る椅子の斜視図である。
【図２】椅子の分離斜視図である。
【図３】一部破断平面図である。
【図４】図３のIV−IV視分離断面図である。
【図５】座受け金具とカバーとの分離斜視図である。
【図６】カバーの部分斜視図である。
【図７】 (A)は座受け金具とカバーとの部分的な分離斜視図、 (B)はカバーの部分的な斜視図である。
【図８】 (A)はカバーを取付けた状態の平面図、 (B)は分離平面図である。
【図９】図8(A)のIX−IX視断面図である。
【図１０】座体を表示した状態での図8(A)の X-X視断面図である。
【図１１】 (A)は図8(A)の XIA-XIA視断面図、 (B)は図8(A)の XIB-XIB視断面図である。
【図１２】図8(A)の XII-XII視断面図である。
【図１３】取付けの手順を示す図である。
【図１４】取付けの手順を示す図である。
【図１５】取付けの手順を示す図である。
【図１６】第２実施形態の側断面図である。
【図１７】第２実施形態の部分斜視図である。
【符号の説明】
１  座部フレーム
１ａ，１ｂ  座部フレームの前後水平部
５  座体
６  背もたれ
１８  座受け金具
１９  カバー
２１  本体側第１係合部
２２  本体側第２係合部
２３  本体側第３係合部
２４  カバー側第１係合部
２５  カバー側第２係合部
２７  カバー側第３係合部
２８  前ストッパー
２９  サイドストッパー
【図１】
0003738964.tif 000002
【図２】
0003738964.tif 000003
【図３】
0003738964.tif 000004
【図４】
0003738964.tif 000005
【図５】
0003738964.tif 000006
【図６】
0003738964.tif 000007
【図７】
0003738964.tif 000008
【図８】
0003738964.tif 000009
【図９】
0003738964.tif 000010
【図１０】
0003738964.tif 000011
【図１１】
0003738964.tif 000012
【図１２】
0003738964.tif 000013
【図１３】
0003738964.tif 000014
【図１４】
0003738964.tif 000015
【図１５】
0003738964.tif 000016
【図１６】
0003738964.tif 000017
【図１７】
0003738964.tif 000018